(57)【要約】  本発明にエンドポイント能力セットの設定方法及び装置が提供され、該方法では、エンドポイント能力セットにテレプレゼンスマルチストリーム制御符号化パラメータを設定し、エンドポイント能力セットにて送信を行う。本発明に提供される技術案は、更に、テレプレゼンスシステムをサポートする新しい要求を満たし、テレプレゼンス製品をサポートすることができる。
2017536723.tif 000002
【特許請求の範囲】
【請求項１】
エンドポイント能力セットにテレプレゼンスマルチストリーム制御符号化パラメータを設定するステップと、
前記エンドポイント能力セットにて送信を行うステップと、を含むエンドポイント能力セットの設定方法。
【請求項２】
前記エンドポイント能力セットに前記テレプレゼンスマルチストリーム制御符号化パラメータを設定することは、
前記エンドポイント能力セットに、前記テレプレゼンスマルチストリーム制御符号化パラメータを携帯するように構成される構造体を新たに追加することと、
前記エンドポイント能力セットに、前記テレプレゼンスマルチストリーム制御符号化パラメータを直接携帯すること、のうちの一つを含む請求項１に記載のエンドポイント能力セットの設定方法。
【請求項３】
前記エンドポイント能力セットに前記構造体を新たに追加することは、
前記エンドポイント能力セットの従来の構造に基づいて、前記テレプレゼンスマルチストリーム制御符号化パラメータを携帯するように構成される前記構造体を新たに追加することと、
前記エンドポイント能力セットの従来の構造の能力に、前記テレプレゼンスマルチストリーム制御符号化パラメータを携帯するように構成される前記構造体を新たに追加することと、
前記エンドポイント能力セットの従来の構造の一般情報に、前記テレプレゼンスマルチストリーム制御符号化パラメータを携帯するように構成される構造体を新たに追加すること、のうちの一つを含む請求項２に記載のエンドポイント能力セットの設定方法。
【請求項４】
前記エンドポイント能力セットに前記テレプレゼンスマルチストリーム制御符号化パラメータを直接携帯することは、
送信能力を使用して前記テレプレゼンスマルチストリーム制御符号化パラメータを携帯すると同時に、受信能力を使用して前記テレプレゼンスマルチストリーム制御符号化パラメータ以外のパラメータを携帯することと、
受信及び送信能力を使用して前記テレプレゼンスマルチストリーム制御符号化パラメータを携帯すること、のうちの一つを含む請求項２に記載のエンドポイント能力セットの設定方法。
【請求項５】
前記テレプレゼンスマルチストリーム制御符号化パラメータは、最大帯域幅と、最大画像サイズと、毎秒処理される最大ピクセル数と、を少なくとも一つ含む請求項１乃至４のうち何れか一項に記載のエンドポイント能力セットの設定方法。
【請求項６】
エンドポイント能力セット内にテレプレゼンスマルチストリーム制御符号化パラメータを設定するように構成される設定ブロックと、
前記エンドポイント能力セットにて送信を行うように構成される送信ブロックと、を含むエンドポイント能力セットの設定装置。
【請求項７】
前記設定ブロックは、前記エンドポイント能力セットに、前記テレプレゼンスマルチストリーム制御符号化パラメータを携帯するように構成される構造体を新たに追加するように構成される第１の設定ユニットと、
前記エンドポイント能力セットに、テレプレゼンスマルチストリーム制御符号化パラメータを直接携帯するように構成される第２の設定ユニットと、を含む請求項６に記載のエンドポイント能力セットの設定装置。
【請求項８】
前記エンドポイント能力セットに構造体を新たに追加するように構成される前記第１の設定ユニットは、
前記エンドポイント能力セットの従来の構造に基づいて、前記テレプレゼンスマルチストリーム制御符号化パラメータを携帯するように構成される前記構造体を新たに追加することと、
前記エンドポイント能力セットの従来の構造の能力に、前記テレプレゼンスマルチストリーム制御符号化パラメータを携帯するように構成される前記構造体を新たに追加することと、
前記エンドポイント能力セットの従来の構造の一般情報に、前記テレプレゼンスマルチストリーム制御符号化パラメータを携帯するように構成される前記構造体を新たに追加すること、のうちの一つを含む請求項７に記載のエンドポイント能力セットの設定装置。
【請求項９】
前記エンドポイント能力セットに前記テレプレゼンスマルチストリーム制御符号化パラメータを直接携帯するように構成される前記第２の設定ユニットは、
送信能力を使用して前記テレプレゼンスマルチストリーム制御符号化パラメータを携帯すると同時に、受信能力を使用して前記テレプレゼンスマルチストリーム制御符号化パラメータ以外のパラメータを携帯することと、
受信及び送信能力を使用して前記テレプレゼンスマルチストリーム制御符号化パラメータを携帯すること、のうちの一つを含む請求項７に記載のエンドポイント能力セットの設定装置。
【請求項１０】
前記テレプレゼンスマルチストリーム制御符号化パラメータは、最大帯域幅と、最大画像サイズと、毎秒処理される最大ピクセル数と、を少なくとも一つ含む請求項６乃至９のうち何れか一項に記載のエンドポイント能力セットの設定装置。
【発明の詳細な説明】
【技術分野】
【０００１】
本発明は、通信分野に関し、具体的に、エンドポイント能力セットの設定方法及び装置に関するものである。
【背景技術】
【０００２】
現在、Ｈ.３２３に基づくビデオ会議システムでは、Ｈ.２４５のエンドポイント能力セット情報で受信能力セット、送信能力セット、受信及び送信能力セットを定義した。同時に、エンドポイントが送信能力セットのみを携帯する場合、該エンドポイントはメディアストリームのみを送信することができ、メディアストリームを受信することができないことも説明された。ビデオ会議のさらなる発展に伴って、テレプレゼンスシステムが出現し、ビデオ会議が同じタイプのメディアストリーム単一ストリームをサポートすることに基づいて同じタイプのメディアストリームマルチストリームの制御をサポートし、これによりテレプレゼンスエンドポイントの間でテレプレゼンスマルチストリーム制御符号化パラメータに対してインタラクトが行われて、該テレプレゼンスマルチストリーム制御符号化パラメータは、テレプレゼンスエンドポイントにおいて送信できる符号化能力である。もし従来に定義された送信能力セットのみを用いてテレプレゼンスマルチストリーム制御符号化パラメータを携帯すると、従来の定義により該テレプレゼンスエンドポイントは、送信できるだけで、受信できないエンドポイントになり、これは、実際には該テレプレゼンスエンドポイントが既に送信と受信を実現できるエンドポイントになった状況と一致していない。
【０００３】
したがって、関連技術では従来のプロトコルに基づいてテレプレゼンスエンドポイントがテレプレゼンスマルチストリーム制御符号化パラメータを携帯することを如何にして実現するかという問題が存在する。
【発明の概要】
【発明が解決しようとする課題】
【０００４】
本発明の実施例は、関連技術で従来のプロトコルに基づいてテレプレゼンスエンドポイントがテレプレゼンスマルチストリーム制御符号化パラメータを携帯することを実現できないという問題を少なくとも解決するように、エンドポイント能力セットの設定方法及び装置を提供する。
【課題を解決するための手段】
【０００５】
本発明の一実施例によれば、エンドポイント能力セットの設定方法が提供される。
【０００６】
本発明の一実施例によるエンドポイント能力セットの設定方法は、エンドポイント能力セットにテレプレゼンスマルチストリーム制御符号化パラメータを設定するステップと、エンドポイント能力セットにて送信を行うステップと、を含む。
【０００７】
本実施例において、エンドポイント能力セットにテレプレゼンスマルチストリーム制御符号化パラメータを設定することは、エンドポイント能力セットにテレプレゼンスマルチストリーム制御符号化パラメータを携帯するように構成される構造体を新たに追加することと、又は、エンドポイント能力セットにテレプレゼンスマルチストリーム制御符号化パラメータを直接携帯こと、のうちの一つを含む。
【０００８】
本実施例において、エンドポイント能力セットに構造体を新たに追加することは、エンドポイント能力セットの従来の構造に基づいてテレプレゼンスマルチストリーム制御符号化パラメータを携帯するように構成される構造体を新たに追加することと、エンドポイント能力セットの従来の構造の能力にテレプレゼンスマルチストリーム制御符号化パラメータを携帯するように構成される構造体を新たに追加することと、エンドポイント能力セットの従来の構造の一般情報にテレプレゼンスマルチストリーム制御符号化パラメータを携帯するように構成される構造体を新たに追加すること、のうちの一つを含む。
【０００９】
本実施例において、エンドポイント能力セットにテレプレゼンスマルチストリーム制御符号化パラメータを直接携帯することは、送信能力を使用してテレプレゼンスマルチストリーム制御符号化パラメータを携帯すると同時に、受信能力を使用してテレプレゼンスマルチストリーム制御符号化パラメータ以外のパラメータを携帯することと、受信及び送信能力を使用してテレプレゼンスマルチストリーム制御符号化パラメータを携帯すること、のうちの一つを含む。
【００１０】
本実施例において、テレプレゼンスマルチストリーム制御符号化パラメータは、最大帯域幅と、最大画像サイズと、毎秒処理される最大ピクセル数と、を少なくとも一つ含む。
【００１１】
本発明の他の実施例によると、エンドポイント能力セットの設定装置が提供される。
【００１２】
本発明の実施例によるエンドポイント能力セットの設定装置は、エンドポイント能力セット内にテレプレゼンスマルチストリーム制御符号化パラメータを設定するように構成される設定ブロックと、エンドポイント能力セットにて送信を行うように構成される送信ブロックと、を含む。
【００１３】
本実施例において、設定ブロックは、エンドポイント能力セットにテレプレゼンスマルチストリーム制御符号化パラメータを携帯するように構成される構造体を新たに追加するように構成される第１の設定ユニットと、エンドポイント能力セットにテレプレゼンスマルチストリーム制御符号化パラメータを直接携帯するように構成される第２の設定ユニットと、を含む。
【００１４】
本実施例において、エンドポイント能力セットに構造体を新たに追加するように構成される第１の設定ユニットは、エンドポイント能力セットの従来の構造に基づいてテレプレゼンスマルチストリーム制御符号化パラメータを携帯するように構成される構造体を新たに追加することと、エンドポイント能力セットの従来の構造の能力にテレプレゼンスマルチストリーム制御符号化パラメータを携帯するように構成される構造体を新たに追加することと、エンドポイント能力セットの従来の構造の一般情報にテレプレゼンスマルチストリーム制御符号化パラメータを携帯するように構成される構造体を新たに追加すること、のうちの一つを含む。
【００１５】
本実施例において、エンドポイント能力セットにテレプレゼンスマルチストリーム制御符号化パラメータを直接携帯するように構成される第２の設定ユニットは、送信能力を使用してテレプレゼンスマルチストリーム制御符号化パラメータを携帯すると同時に、受信能力を使用してテレプレゼンスマルチストリーム制御符号化パラメータ以外のパラメータを携帯することと、受信及び送信能力を使用してテレプレゼンスマルチストリーム制御符号化パラメータを携帯すること、のうちの一つを含む。
【００１６】
本実施例において、テレプレゼンスマルチストリーム制御符号化パラメータは、最大帯域幅と、最大画像サイズと、毎秒処理される最大ピクセル数と、を少なくとも一つ含む。
【００１７】
本発明の実施例により、エンドポイント能力セットにテレプレゼンスマルチストリーム制御符号化パラメータを設定し、エンドポイント能力セットにて送信を行うことによって、関連技術で従来のプロトコルに基づいてテレプレゼンスエンドポイントがテレプレゼンスマルチストリーム制御符号化パラメータを携帯することを実現できないという問題を解決して、更に、テレプレゼンスシステムをサポートする新しい要求を十分に満足させ、テレプレゼンス製品をサポートすることができる。
【図面の簡単な説明】
【００１８】
ここで説明する図面は本発明を更に理解させるためのもので、本発明の一部を構成し、本発明における模式的実施例及びその説明と共に本発明を解釈するためのものであり、本発明を不当に限定するものではない。図面において、
【図１】本発明の実施例によるエンドポイント能力セットの設定方法のフローチャートである。
【図２】本発明の実施例によるエンドポイント能力セットの設定装置の構造ブロック図である。
【図３】本発明の好適な実施例によるエンドポイント能力セットの設定装置の構造ブロック図である。
【発明を実施するための形態】
【００１９】
以下、図面を参照しつつ実施例を結合して本発明を詳しく説明する。なお、衝突しない限り、本願の実施例及び実施例中の特徴を組み合わせることができる。
【００２０】
図１は、本発明の実施例によるエンドポイント能力セットの設定方法のフローチャートである。図１に示すように、その方法は、以下の処理ステップを含むことができる。
【００２１】
エンドポイント能力セットにテレプレゼンスマルチストリーム制御符号化パラメータを設定する（ステップＳ１０２）。
【００２２】
エンドポイント能力セットにて送信を行う（ステップＳ１０４）。
【００２３】
関連技術では、従来のプロトコルに基づいてテレプレゼンスエンドポイントがテレプレゼンスマルチストリーム制御符号化パラメータを携帯することを実現できない。図１に示す方法を使用して、テレプレゼンスエンドポイントは、エンドポイント能力セットメッセージ（terminalCapabilitySet）内でテレプレゼンスマルチストリーム制御(ControLing mUltiple streams for tElepresence、略称CLUE）符号化パラメータを携帯し、テレプレゼンスシステム内のエンドポイント間でエンドポイントに対するテレプレゼンスマルチストリーム制御符号化関連パラメータを十分に把握することができる。
【００２４】
これにより、Ｈ.３２３システムに基づくテレプレゼンスエンドポイントがテレプレゼンスマルチストリーム制御符号化関連パラメータを携帯する要求を解決し、テレプレゼンスシステムをサポートする新しい要求を十分に満足させ、テレプレゼンス製品をサポートすることができる。
【００２５】
好適な実施プロセスで、上記テレプレゼンスマルチストリーム制御符号化パラメータは、限定するものではなく、少なくとも以下の一つを含むことができる。
（１）最大帯域幅、
（２）最大画像サイズ、
（３）毎秒処理される最大ピクセル数。
【００２６】
本実施例において、ステップＳ１０２でエンドポイント能力セットにテレプレゼンスマルチストリーム制御符号化パラメータを設定することは、
エンドポイント能力セットにテレプレゼンスマルチストリーム制御符号化パラメータを携帯するように構成される構造体を新たに追加する方式１と、
エンドポイント能力セットにテレプレゼンスマルチストリーム制御符号化パラメータを直接携帯する方式２と、のうちの一つを含む。
【００２７】
本実施例において、上記方式１でエンドポイント能力セットに構造体を新たに追加することは、
エンドポイント能力セットの従来の構造に基づいてテレプレゼンスマルチストリーム制御符号化パラメータを携帯するように構成される構造体を新たに追加する設定方式１と、
エンドポイント能力セットの従来の構造の能力にテレプレゼンスマルチストリーム制御符号化パラメータを携帯するように構成される構造体を新たに追加する設定方式２と、
エンドポイント能力セットの従来の構造の一般情報にテレプレゼンスマルチストリーム制御符号化パラメータを携帯するように構成される構造体を新たに追加する設定方式３と、のうちの一つを含む。
【００２８】
好適な実施例において、従来のＨ.２４５の定義に基づいて、エンドポイント能力セット（terminalCapabilitySet）でテレプレゼンスマルチストリーム制御（CLUE）符号化パラメータを携帯することが可能で、具体的に、構造体を新たに追加する以下の方式を使用して行うことができる。
【００２９】
（１）エンドポイント能力セット（terminalCapabilitySet）に構造体を新たに追加し、テレプレゼンスマルチストリーム制御符号化パラメータを携帯する。
【００３０】
好適な実施例において、エンドポイント能力セット（terminalCapabilitySet）に従来の構造体と並行する他の構造体を新たに追加し、テレプレゼンスマルチストリーム制御符号化関連パラメータを携帯するために用いる。具体的には、次のとおりである。
【００３１】
TerminalCapacitySet
{
sequenceNumber,
protocolIdentifier,
multiolexCapability,
capabilityTable,
capabilityDescriptors, 
CLUE符号化関連構造
...,
genericInformation,
}
CLUE符号化関連構造
{
最大帯域幅,
最大画像サイズ,
毎秒処理される最大ピクセル数,
...
}
【００３２】
（２）エンドポイント能力セット（terminalCapabilitySet）の能力（Capability）に構造体を新たに追加し、テレプレゼンスマルチストリーム制御符号化関連パラメータを携帯する。
【００３３】
好適な実施例において、エンドポイント能力セット（terminalCapabilitySet）の能力（Capability）に構造体を新たに追加し、テレプレゼンスマルチストリーム制御符号化関連パラメータを携帯するために用いる。具体的には、次のとおりである。
【００３４】
Capability ::= CHOICE
{
nonStandard,
receiveVideoCapability,
transmitVideoCapability,
receiveAndTransmitVideoCapability,
receiveAudioCapability,
transmitAudioCapability,
receiveAndTransmitAudioCapability,
receiveDataApplicationCapability,
transmitDataApplicationCapability,
receiveAndTransmitDataApplicationCapability,
CLUE符号化関連構造
...
}
CLUE符号化関連構造
{
最大帯域幅,
最大画像サイズ,
毎秒処理される最大ピクセル数,
...
}
【００３５】
（３）エンドポイント能力セット（terminalCapabilitySet）の一般情報（genericInformation）に構造体を新たに追加し、テレプレゼンスマルチストリーム制御符号化関連パラメータを携帯する。
【００３６】
好適な実施例において、エンドポイント能力セット（terminalCapabilitySet）の一般情報（genericInformation）に構造体を新たに追加し、テレプレゼンスマルチストリーム制御符号化関連パラメータを携帯するために用いることができる。
【００３７】
genericInformation
{
CLUE符号化関連構造,
...
}
CLUE符号化関連構造,
{
最大帯域幅,
最大画像サイズ,
毎秒処理される最大ピクセル数,
...
}
【００３８】
本実施例において、上記方式２で、エンドポイント能力セットにテレプレゼンスマルチストリーム制御符号化パラメータを直接携帯することは、
送信能力を使用してテレプレゼンスマルチストリーム制御符号化パラメータを携帯すると同時に、受信能力を使用してテレプレゼンスマルチストリーム制御符号化パラメータ以外のパラメータを携帯する設定方式１と、
受信及び送信能力を使用してテレプレゼンスマルチストリーム制御符号化パラメータを携帯する設定方式２と、を含むことができる。
【００３９】
好適な実施例において、Ｈ.２４５の従来の能力定義も利用することができ、具体的には、以下の二つの方式を含むことができる。
【００４０】
（１）送信能力(transmit Capability)を使用してテレプレゼンスマルチストリーム制御符号化関連パラメータを携帯すると同時に、受信能力(receive Capability)を使用してテレプレゼンスマルチストリーム制御符号化と関係ないテレプレゼンスエンドポイントのパラメータを携帯する。
【００４１】
好適な実施例において、送信能力(transmit..Capability)を使用してテレプレゼンスマルチストリーム制御符号化関連パラメータを携帯すると同時に、受信能力(receive..Capability)を使用してテレプレゼンスマルチストリーム制御符号化と関係ないテレプレゼンスエンドポイントのパラメータを携帯することができる。
【００４２】
TerminalCapabilitySet
{
receive..Capability
{
CLUEと関係ない符号化パラメータ;
}
transmit..Capability
{
CLUE関連符号化パラメータ;
}
...
}
【００４３】
エンドポイント能力セットで、受信能力(receive..Capability)を使用してレプレゼンスマルチストリーム制御(CLUE)と関係ない少なくとも一つの符号化パラメータを携帯し、ビデオとオーディオ符号化パラメータは、それぞれ、receiveVideoCapabilityとreceiveAudioCapabilityを使用して記憶させる。送信能力(transmit..Capability)を使用してレプレゼンスマルチストリーム制御(CLUE)と関係ある符号化パラメータを携帯し、ビデオとオーディオ符号化パラメータは、それぞれ、transmitVideoCapabilityとtransmitAudioCapabilityを使用して記憶させる。CLUEと関係があるかないかは、符号化識別情報(ID)を利用して区別する。
【００４４】
（２）受信及び送信能力（receiveAndTransmit Capability）を使用して、テレプレゼンスマルチストリーム制御符号化関連パラメータを携帯する。
【００４５】
好適な実施例において、受信及び送信能力（receiveAndTransmit..Capabili ty）を使用して、テレプレゼンスマルチストリーム制御符号化関連パラメータを携帯することができる。
【００４６】
TerminalCapabilitySet
{
receiveAndTransmit..Capability
{
CLUE関連符号化パラメータ;
}
...
}
【００４７】
エンドポイント能力セットでは、受信及び送信能力（receiveAndTransmit..Capa bility）を使用してテレプレゼンスマルチストリーム制御関連符号化パラメータを携帯し、ビデオとオーディオ符号化パラメータは、それぞれ、receiveAndTransmitVideoCapabilityとreceiveAndTransmitAudioCapabilityを使用して記憶させる。受信及び送信能力は対称能力であるため、エンドポイントがその能力を使用する場合、受信能力と送信能力は同じで、解読能力と符号化能力も同じである。
【００４８】
図２は、本発明の実施例によるエンドポイント能力セットの設定装置の構造ブロック図である。図２に示すように、上記エンドポイント能力セットの設定装置は、エンドポイント能力セットにテレプレゼンスマルチストリーム制御符号化パラメータを設定するように構成される設定ブロック１０と、エンドポイント能力セットにて送信を行うように構成される送信ブロック２０と、を含むことができる。
【００４９】
図２に示すような装置を使用して、関連技術で従来のプロトコルに基づいてテレプレゼンスエンドポイントがテレプレゼンスマルチストリーム制御符号化パラメータを携帯することを実現できないという問題を解決し、更に、テレプレゼンスシステムをサポートする新しい要求を十分に満足させ、テレプレゼンス製品をサポートすることができる。
【００５０】
好適な実施例において、上記テレプレゼンスマルチストリーム制御符号化パラメータは、限定するものではなく、少なくとも以下の一つを含むことができる。
（１）最大帯域幅と、
（２）最大画像サイズと、
（３）毎秒処理される最大ピクセル数。
【００５１】
本実施例において、図３に示すように、設定ブロック１０は、エンドポイント能力セットにテレプレゼンスマルチストリーム制御符号化パラメータを携帯するように構成される構造体を新たに追加するように構成される第１の設定ユニット１００と、エンドポイント能力セットにテレプレゼンスマルチストリーム制御符号化パラメータを直接携帯するように構成される第２の設定ユニット１０２と、を含むことができる。
【００５２】
本実施例において、エンドポイント能力セットに構造体を新たに追加するように構成される第１の設定ユニット１００は、エンドポイント能力セットの従来の構造に基づいてテレプレゼンスマルチストリーム制御符号化パラメータを携帯するように構成される構造体を新たに追加することと、エンドポイント能力セットの従来の構造の能力にテレプレゼンスマルチストリーム制御符号化パラメータを携帯するように構成される構造体を新たに追加することと、エンドポイント能力セットの従来の構造の一般情報にテレプレゼンスマルチストリーム制御符号化パラメータを携帯するように構成される構造体を新たに追加すること、のうちの一つを含むことができる。
【００５３】
本実施例において、エンドポイント能力セットにテレプレゼンスマルチストリーム制御符号化パラメータを直接携帯するように構成される第２の設定ユニット１０２は、送信能力を使用してテレプレゼンスマルチストリーム制御符号化パラメータを携帯すると同時に、受信能力を使用してテレプレゼンスマルチストリーム制御符号化パラメータ以外のパラメータを携帯することと、受信及び送信能力を使用してテレプレゼンスマルチストリーム制御符号化パラメータを携帯すること、のうちの一つを含むことができる。
【００５４】
以上の記述から、上記実施例は、本発明の実施例に提供される技術案を使用して、テレプレゼンスエンドポイントがエンドポイント能力セット（terminalCapabilitySet）のメッセージにおいて、テレプレゼンスマルチストリーム制御（CLUE）符号化関連パラメータを携帯し、テレプレゼンスシステムのエンドポイント能力セット間で相手側のテレプレゼンスマルチストリーム制御符号化関連パラメータを十分に得ることができ、更に、Ｈ.３２３システムに基づくテレプレゼンスエンドポイントがテレプレゼンスマルチストリーム制御符号化関連パラメータを携帯する要求を解決し、テレプレゼンスシステムをサポートする新しい要求を十分に満足させ、テレプレゼンス製品をサポートする効果（なお、この効果は、いくつかの好適な実施例において達成可能な効果である。）を実現したことが分かる。
【００５５】
当業者にとって、上述の本発明の各ブロック又は各ステップは汎用の計算装置によって実現することができ、単独の計算装置に集成させることができれば、複数の計算装置から構成されるネットワークに分布させることもでき、更に計算装置で実行可能なプログラムのコードによって実現することもできるので、それらを記憶装置に格納して計算装置によって実行することができ、そして場合によって、示した又は説明したステップを上述と異なる手順で実行することができ、それぞれ集積回路ブロックに製作したり、これらのうち複数のブロック又はステップを単独の集積回路ブロックに製作したりして実現することができることは、明らかなことである。このように、本発明は、如何なる特定のハードウェアとソフトウェアの結合に限定されない。
【００５６】
以上は、本発明の好適な実施例にすぎず、本発明を限定することは意図していない。当業者であれば、本発明に様々な変更や変形が可能である。本発明の思想や原則内の如何なる修正、均等の置き換え、改良なども、本発明の保護範囲内に含まれるべきである。
【産業上の利用可能性】
【００５７】
本発明の実施例に提供される上記技術案に基づいて、エンドポイント能力セットにテレプレゼンスマルチストリーム制御符号化パラメータを設定し、エンドポイント能力セットにて送信を行って、関連技術で従来のプロトコルに基づいてテレプレゼンスエンドポイントがテレプレゼンスマルチストリーム制御符号化パラメータを携帯することを実現できないという問題を解決し、更に、テレプレゼンスシステムをサポートする新しい要求を十分に満足させ、テレプレゼンス製品をサポートすることができる。
【図１】
2017536723.tif 000003
【図２】
2017536723.tif 000004
【図３】
2017536723.tif 000005
【国際調査報告】
2017536723.tif 000006
2017536723.tif 000007
2017536723.tif 000008
2017536723.tif 000009